(57)【要約】【課題】杖をしっかりと把持することが可能な杖の握り部カバーを提供する。【解決手段】杖６の握り部６１と握り部６１を把持した使用者の手部７とが収容される筒状部２と、筒状部２の一方の開口端部に連結され、杖６に装着可能に構成された杖側装着部３と、筒状部２の他方の開口端部に連結され、使用者の手首部８乃至腕部９に装着可能に構成された使用者側装着部４と、を備える握り部カバー１。【選択図】図２
0003129047.tif 000002
【実用新案登録請求の範囲】
【請求項１】
杖の握り部と前記握り部を把持した使用者の手部とが収容される筒状部と、
前記筒状部の一方の開口端部に連結され、前記杖に装着可能に構成された杖側装着部と、
前記筒状部の他方の開口端部に連結され、前記使用者の手首部乃至腕部に装着可能に構成された使用者側装着部と、
を備えることを特徴とする杖の握り部カバー。
【請求項２】
前記使用者側装着部が、径方向に伸縮可能な筒状に形成され、前記手首部乃至腕部に嵌合されることにより、前記手首部乃至腕部に装着されることを特徴とする請求項１記載の杖の握り部カバー。
【請求項３】
前記杖側装着部が、径方向に伸縮可能な筒状に形成され、前記杖に嵌合されることにより、前記杖に装着されることを特徴とする請求項１又は２記載の杖の握り部カバー。
【請求項４】
前記筒状部と前記使用者側装着部とが編地で形成されていることを特徴とする請求項１、２、または、３記載の杖の握り部カバー。
【請求項５】
前記杖側装着部が編地で形成されていることを特徴とする請求項４記載の杖の握り部カバー。
【請求項６】
前記筒状部と前記使用者側装着部と前記杖側装着部とが、一体的に形成されていることを特徴とする請求項５記載の杖の握り部カバー。
【考案の詳細な説明】
【技術分野】
【０００１】
本考案は、防寒用の杖の握り部カバーに関する。
【背景技術】
【０００２】
従来、杖の使用者は、冬季等には、防寒のために手袋を嵌めて杖を把持していた。
【０００３】
なお、出願人による先行技術文献調査では、記載すべき先行技術文献情報は発見できなかった。
【考案の開示】
【考案が解決しようとする課題】
【０００４】
しかし、手袋を嵌めて杖を把持すると、手が滑り易く、杖をしっかりと把持することができないため、歩行し難くかったり転倒したりする虞があるという問題があった。
【０００５】
この考案は、上述した問題を解決するものであり、杖をしっかりと把持することが可能な杖の握り部カバーを提供することを目的とする。
【課題を解決するための手段】
【０００６】
本考案の杖の握り部カバーは、杖の握り部と握り部を把持した使用者の手部とが収容される筒状部と、筒状部の一方の開口端部に連結され、杖に装着可能に構成された杖側装着部と、筒状部の他方の開口端部に連結され、使用者の手首部乃至腕部に装着可能に構成された使用者側装着部と、を備えることを特徴とする。これによれば、杖側装着部を杖に装着し、筒状部の中に杖の握り部を収容した状態で、筒状部の中に手部を入れて杖の握り部を把持することにより、素手で握り部を把持できるため、杖をしっかりと把持することが可能であるとともに、筒状部の中に手部が収容されるため、手部の防寒が可能である。
【０００７】
ここで、使用者側装着部が、径方向に伸縮可能な筒状に形成され、手首部乃至腕部に嵌合されることにより、手首部乃至腕部に装着されることが好ましい。これによれば、例えば片手が不自由な使用者等であっても、容易に使用者側装着部を手首部乃至腕部に装着することができる。
【０００８】
また、杖側装着部が、径方向に伸縮可能な筒状に形成され、杖に嵌合されることにより、杖に装着されることとしてもよい。杖への装着が容易だからである。
【０００９】
また、筒状部と使用者側装着部とが編地で形成されていることが好ましい。編地は伸縮性に富むので、手部の動きの自由度を確保でき、また、肌触りが良く保温性に優れた握り部カバーを提供できるからである。
【００１０】
さらに、筒状部及び使用者側装着部のみならず杖側装着部も、編地で形成することとしてもよい。そして、筒状部と使用者側装着部と杖側装着部とを編地とした場合には、それらが一体的に形成されていることが好ましい。縫着工程が少なくて済むため、製造コストを抑制できるからであり、また、筒状部と使用者側装着部との間に縫い目がないため、使用感が向上するからである。
【考案の効果】
【００１１】
本考案の杖の握り部カバーによれば、杖側装着部を杖に装着し、筒状部の中に杖の握り部を収容した状態で、筒状部の中に手部を入れて杖の握り部を把持することにより、素手で握り部を把持できるため、杖をしっかりと把持することが可能であるとともに、筒状部の中に手部が収容されるため、手部の防寒が可能である。
【考案を実施するための最良の形態】
【００１２】
以下、本考案の一実施形態を図面に基づいて説明する。
【００１３】
図１に示すように、握り部カバー１は、筒状部２と、筒状部２の一方の開口端部２１に連結された杖側装着部３と、筒状部２の他方の開口端部２２に連結された使用者側装着部４と、使用者側装着部４に縫着されたラベル５とから構成されている。ラベル５は、使用者側装着部４と杖側装着部３とを識別するとともに、ラベル５が装着された側が手の甲側になることを示すための目印となる。
【００１４】
筒状部２と杖側装着部３と使用者側装着部４とは、編地（ニット）で一体的に（すなわち、筒状部２と杖側装着部３との間、及び、筒状部２と使用者側装着部４との間に、それぞれ継ぎ目を設けることなく）形成されている。
【００１５】
詳しくは、筒状部２と杖側装着部３と使用者側装着部４とは、ゴム編みにされた第１のゴム編み部分と、第１のゴム編み部分に連続してよこ編みのガーター編みにされたガーター編み部分と、ガーター編み部分に連続してゴム編みにされた第２のゴム編み部分とからなる編地を、裁断して筒状に縫製することによって形成されている。なお、筒状とされた第１のゴム編み部分が使用者側装着部４となり、筒状とされたガーター編み部分が筒状部２となり、筒状とされた第２のゴム編み部分が杖側装着部３となる。
【００１６】
このように、筒状部２と杖側装着部３と使用者側装着部４とは、編地で形成されていることから、伸縮性を有し、特に、使用者側装着部４及び杖側装着部３は、ゴム編みにされていることから周方向（換言すれば、径方向）の伸縮性が強い。
【００１７】
また、第１のゴム編み部分及び第２のゴム編み部分には、それぞれ、ゴム糸が横方向に編み込まれており、これにより、使用者側装着部４及び杖側装着部３には、それぞれ、ゴム糸が周方向に編み込まれていることとなる。したがって、使用者側装着部４及び杖側装着部３は、径方向の伸縮性がより強いものとなっている。
【００１８】
また、筒状部２は、中央部よりも使用者側装着部４寄りの部分に、縮小時の使用者側装着部４よりも大径とされた膨出部分２３を有しており、膨出部分２３から使用者側装着部４に向かって次第に小径となるとともに、膨出部分２３から杖側装着部３に向かって次第に小径となるように形成されている。杖側装着部３の径は、使用者側装着部４の径よりも小径とされている。
【００１９】
なお、編み糸としては、アクリル、ポリウレタン、及び、ナイロンを混紡したものを用いることにより、保温性及び耐磨耗性に優れるとともに、軽い握り部カバー１を実現している。
【００２０】
また、縫着のためのミシン糸には、伸縮性があるウーリー糸を用い、さらに、縫製時のミシン糸のテンションを調整することにより、縫着部分（縫い目）の伸縮性をも確保している。なお、縫着部分は、図示されていないが、ラベル５に対向する側に設けられ、使用者側装着部４の開口端部４１から杖側装着部３の開口端部３１まで延設されている。
【００２１】
以上のように構成された握り部カバー１を使用するときは、図２に示すように、杖６の下端（先端）を開口端部４１から入れて開口端部３１から出すことにより、握り部カバー１に杖６を挿通する。そして、杖６の握り部６１より少し下方の部位に杖側装着部３を装着し、握り部６１を筒状部２内に収納する。これにより、握り部カバー１が杖６に装着される。この状態で、開口端部４１から手部７を入れて、使用者側装着部４を手首部８乃至腕部９に装着し、筒状部２内の握り部６１を把持する。したがって、素手で握り部６１を把持できるとともに、筒状部２内に手部７が収容されるので、手部７の防寒が可能である。
【００２２】
また、杖６を使用しないときも握り部カバー１を杖６に装着したままにしておけば、使用時には開口端部４１から握り部カバー１内に手部７を差し込むだけでよいため、容易に使用できる。
【００２３】
このように、握り部カバー１は、杖側装着部３を杖６に装着し、筒状部２の中に杖６の握り部６１を収容した状態で、筒状部２の中に手部７を入れて握り部６１を把持することにより、素手で握り部６１を把持できるため、杖６をしっかりと把持することが可能であるとともに、筒状部２の中に手部７が収容されるため、手部７の防寒が可能である。
【００２４】
また、使用者側装着部４は、径方向に伸縮可能な筒状に形成されており、使用者側装着部４に手首部８乃至腕部９を挿通すれば、すなわち、使用者側装着部４を手首部８乃至腕部９に嵌合すれば、手首部８乃至腕部９に装着されるので、例えば片手が不自由な使用者等であっても、容易に使用者側装着部４を手首部８乃至腕部９に装着することができる。なお、嵌合とは、ぴったり嵌る場合のみならず、ゆとりを持って嵌る場合も含む。
【００２５】
また、杖側装着部３は、径方向に伸縮可能な筒状に形成されており、杖側装着部３に杖６を挿通すれば、すなわち、杖側装着部３を杖６に嵌合すれば、杖６に装着されるので、杖６への装着が容易である。
【００２６】
また、筒状部２と使用者側装着部４とは、編地で形成されているため、伸縮性に富むことから手部７の動きの自由度を確保でき、また、肌触りが良く保温性に優れた握り部カバー１を提供できる。
【００２７】
そして、握り部カバー１は、筒状部２と使用者側装着部４と杖側装着部３とを編地で形成しているため、ファッション性に優れている。
【００２８】
さらに、握り部カバー１は、筒状部２と使用者側装着部４と杖側装着部３とを一枚の編地で一体的に形成しており、筒状部２と使用者側装着部４との縫着、及び、筒状部２と杖側装着部３との縫着が不要であるため、縫着工程が少なくて済み、製造コストを抑制できる。また、筒状部２と使用者側装着部４との間に縫い目がないため、使用時に手首部８に筒状部２と使用者側装着部４との間の縫い目が当ってごろつくというようなことが無く、使用感が良い。
【００２９】
また、杖側装着部３は、ゴム糸が編みこまれたゴム編みとされているため、伸縮性が強く、杖６からずり落ちる虞が小さい。
【００３０】
なお、握り部カバー１では、筒状部２、杖側装着部３、及び、使用者側装着部４を編地で形成したが、筒状部２、杖側装着部３、及び、使用者側装着部４を布地で形成してもよい。また、筒状部２及び使用者側装着部４を編地で、杖側装着部３を布地で形成する等、一部を編地で残りを布地で形成してもよい。すなわち、筒状部２、杖側装着部３、及び、使用者側装着部４は、柔軟性乃至可撓性を有する素材であれば、編地、布地、皮革等、適宜のものを用いることができる。但し、保温性及び肌触りの点からは、少なくとも筒状部２及び使用者側装着部４を、編地で形成することが望ましく、また、ファッション性や、異なる素材を連結するときの手間をも考慮すれば、筒状部２、杖側装着部３、及び、使用者側装着部４を、編地で形成することが望ましい。なお、編み方は上述したものに限らず、例えば、筒状部２をガーター編みではなくメリヤス編みとしてもよい。また、編み糸やミシン糸も、上述したものに限られない。
【００３１】
また、杖側装着部３が、係止部材を備え、杖６に巻着されて係止部材が係止されることにより、杖６に装着されることとしてもよい。また、使用者側装着部４が、係止部材を備え、手首部８乃至腕部９に巻着されて係止部材が係止されることにより、手首部８乃至腕部９に装着されることとしてもよい。すなわち、装着可能とする手段については、適宜変更可能である。
【００３２】
他の実施形態を図３に示す。図３の握り部カバー１Ａは、筒状部２Ａ、杖側装着部３Ａ、及び、使用者側装着部４Ａが布地で形成され、また、杖側装着部３Ａは、係止部材３２により杖に装着可能とされている。
【００３３】
詳しくは、筒状部２Ａは、キルティング等保温性の高い布地で形成されている。杖側装着部３Ａは、両端部に面ファスナーである係止部材３２、３２を備えた帯状の布で形成され、一側が筒状部２Ａの一方の開口端部２１Ａに沿うように縫着されて、係止部材３２、３２を互いに係止したときに筒状となるように構成されている。使用者側装着部４Ａは、布地で筒状に形成され、ゴム糸を用いたシャーリング或いは径方向にゴムを入れることにより、径方向に伸縮可能とされて、筒状部２Ａの他方の開口端部２２Ａに縫着されている。かかる握り部カバー１Ａでは、杖の下端を開口端部４１Ａから入れて開口端部２１Ａから出し、その杖に杖側巻着部３Ａを巻き付けるように係止部材３２、３２を互いに係止することにより、杖側装着部３Ａが杖に装着される。かかる係止部材３２、３２を用いれば、係止位置を調整することにより、杖側装着部３Ａを杖にしっかりと装着することができる。なお、係止部材３２、３２は、ボタン等であってもよい。
【００３４】
すなわち、実用新案登録請求の範囲を逸脱しない範囲で、本考案は種々の構成を採り得る。
【図面の簡単な説明】
【００３５】
【図１】本考案の一実施形態に係る握り部カバーの斜視図である。
【図２】本考案の一実施形態に係る握り部カバーの使用態様図である。
【図３】本考案の他の実施形態に係る握り部カバーの斜視図である。
【符号の説明】
【００３６】
１、１Ａ…握り部カバー
２、２Ａ…筒状部
３、３Ａ…杖側装着部
４、４Ａ…使用者側装着部
６…杖
７…手部
８…手首部
９…腕部
２１、２１Ａ、２２、２２Ａ…開口端部
６１…握り部
【図１】
0003129047.tif 000003
【図２】
0003129047.tif 000004
【図３】
0003129047.tif 000005